(57)【要約】【課題】情報収集を行うエリアの重要度を考慮した、より効率的な情報収集を行うこと。【解決手段】サーバ２は、通信エリアを示す通信エリア情報と、当該通信エリアにおける携帯端末１による情報収集の重要度を示す重要度情報とを関連付けた管理情報を記憶する管理情報記憶部２０と、携帯端末１が在圏している通信エリアを示す在圏情報を受信する在圏情報受信部２１と、受信された在圏情報と記憶された管理情報とに基づいて、携帯端末１が在圏している通信エリアにおける重要度情報を取得する重要度情報取得部２２と、取得された重要度情報に基づいて所定の複数の位置測位方法の優先順位を決定する優先順位決定部２３と、決定された位置測位方法の優先順位に基づく位置測位及び情報収集の実行を指示する指示情報を携帯端末１に送信する指示情報送信部２４と、を備える。【選択図】図４
2015097328.tif 000002
【特許請求の範囲】
【請求項１】
通信エリアを示す通信エリア情報と、当該通信エリアにおける携帯端末による情報収集の重要度を示す重要度情報とを関連付けた管理情報を記憶する管理情報記憶手段と、
携帯端末が在圏している通信エリアを示す在圏情報を受信する在圏情報受信手段と、
前記在圏情報受信手段によって受信された在圏情報と、前記管理情報記憶手段によって記憶された管理情報とに基づいて、携帯端末が在圏している通信エリアにおける重要度情報を取得する重要度情報取得手段と、
前記重要度情報取得手段によって取得された重要度情報に基づいて所定の複数の位置測位方法の優先順位を決定する優先順位決定手段と、
前記優先順位決定手段によって決定された位置測位方法の優先順位に基づく位置測位及び情報収集の実行を指示する指示情報を携帯端末に送信する指示情報送信手段と、
を備え、
前記指示情報送信手段によって送信された指示情報を受信した携帯端末は、当該指示情報に示される位置測位方法の優先順位に基づく位置測位及び情報収集を実行する、
サーバ。
【請求項２】
前記管理情報記憶手段は、当該通信エリア情報が示す通信エリアにおける各位置測位方法による位置測位の精度を示す精度情報をさらに関連付けて記憶し、
前記優先順位決定手段は、前記重要度情報取得手段によって取得された重要度情報が示す重要度が所定の重要度よりも高い場合、前記在圏情報受信手段によって受信された在圏情報と前記管理情報記憶手段によって記憶された管理情報とに基づいて、携帯端末が在圏している通信エリアにおける位置測位の精度が高い順に位置測位方法の優先順位を決定する、
請求項１に記載のサーバ。
【請求項３】
前記管理情報記憶手段は、当該通信エリア情報が示す通信エリアにおける各位置測位方法による位置測位の成功率を示す成功率情報をさらに関連付けて記憶し、
前記優先順位決定手段は、前記重要度情報取得手段によって取得された重要度情報が示す重要度が所定の重要度よりも低い場合、前記在圏情報受信手段によって受信された在圏情報と前記管理情報記憶手段によって記憶された管理情報とに基づいて、携帯端末が在圏している通信エリアにおける位置測位の成功率が高い順に位置測位方法の優先順位を決定する、
請求項１又は２に記載のサーバ。
【請求項４】
サーバと携帯端末とを含む情報収集システムであって、
サーバは、
通信エリアを示す通信エリア情報と、当該通信エリアにおける携帯端末による情報収集の重要度を示す重要度情報とを関連付けた管理情報を記憶する管理情報記憶手段と、
携帯端末が在圏している通信エリアを示す在圏情報を受信する在圏情報受信手段と、
前記在圏情報受信手段によって受信された在圏情報と、前記管理情報記憶手段によって記憶された管理情報とに基づいて、携帯端末が在圏している通信エリアにおける重要度情報を取得する重要度情報取得手段と、
前記重要度情報取得手段によって取得された重要度情報に基づいて所定の複数の位置測位方法の優先順位を決定する優先順位決定手段と、
前記優先順位決定手段によって決定された位置測位方法の優先順位に基づく位置測位及び情報収集の実行を指示する指示情報を携帯端末に送信する指示情報送信手段と、
を備え、
携帯端末は、
在圏情報をサーバに送信する在圏情報送信手段と、
指示情報をサーバから受信する指示情報受信手段と、
前記指示情報受信手段によって受信された指示情報に示される位置測位方法の優先順位に基づく位置測位及び情報収集を実行する情報収集実行手段と、
を備える情報収集システム。
【請求項５】
通信エリアを示す通信エリア情報と、当該通信エリアにおける携帯端末による情報収集の重要度を示す重要度情報とを関連付けた管理情報を記憶する管理情報記憶手段を備えるサーバにより実行される情報収集方法であって、
携帯端末が在圏している通信エリアを示す在圏情報を受信する在圏情報受信ステップと、
前記在圏情報受信ステップにおいて受信された在圏情報と、前記管理情報記憶手段によって記憶された管理情報とに基づいて、携帯端末が在圏している通信エリアにおける重要度情報を取得する重要度情報取得ステップと、
前記重要度情報取得ステップにおいて取得された重要度情報に基づいて所定の複数の位置測位方法の優先順位を決定する優先順位決定ステップと、
前記優先順位決定ステップにおいて決定された位置測位方法の優先順位に基づく位置測位及び情報収集の実行を指示する指示情報を携帯端末に送信する指示情報送信ステップと、
を含み、
前記指示情報送信ステップにおいて送信された指示情報を受信した携帯端末は、当該指示情報に示される位置測位方法の優先順位に基づく位置測位及び情報収集を実行する、
情報収集方法。
【請求項６】
通信エリアを示す通信エリア情報と、当該通信エリアにおける携帯端末による情報収集の重要度を示す重要度情報とを関連付けた管理情報を記憶する管理情報記憶手段を備えるサーバと携帯端末とを含む情報収集システムにより実行される情報収集方法であって、
携帯端末が、自端末が在圏している通信エリアを示す在圏情報をサーバに送信する在圏情報送信ステップと、
サーバが、在圏情報を受信する在圏情報受信ステップと、
サーバが、前記在圏情報受信ステップにおいて受信された在圏情報と、前記管理情報記憶手段によって記憶された管理情報とに基づいて、携帯端末が在圏している通信エリアにおける重要度情報を取得する重要度情報取得ステップと、
サーバが、前記重要度情報取得ステップにおいて取得された重要度情報に基づいて所定の複数の位置測位方法の優先順位を決定する優先順位決定ステップと、
サーバが、前記優先順位決定ステップにおいて決定された位置測位方法の優先順位に基づく位置測位及び情報収集の実行を指示する指示情報を携帯端末に送信する指示情報送信ステップと、
携帯端末が、指示情報をサーバから受信する指示情報受信ステップと、
携帯端末が、前記指示情報受信ステップにおいて受信された指示情報に示される位置測位方法の優先順位に基づく位置測位及び情報収集を実行する情報収集実行ステップと、
を含む情報収集方法。
【発明の詳細な説明】
【技術分野】
【０００１】
本発明は、サーバ、情報収集システム及び情報収集方法に関する。
【背景技術】
【０００２】
従来、複数の携帯端末の各々が収集した現在位置に基づく情報を、各携帯端末から取得し、分析する分析システムが知られている。例えば、下記特許文献１では、携帯電話端末にて一定の周期にて記録した無線通信品質を取得し、分析する分析サーバが開示されている。
【先行技術文献】
【特許文献】
【０００３】
【特許文献１】特開２０１２−１５９５０号公報
【発明の概要】
【発明が解決しようとする課題】
【０００４】
携帯端末による無線品質調査など様々な情報収集において、情報収集を行った位置を示す位置情報は重要な情報である。携帯端末が位置情報を取得するための位置測位方法には、ＧＰＳ（Global  Positioning  System）を利用したＧＰＳ測位、ネットワークの在圏位置情報を利用したネットワーク測位、基地局ＡＰＩ（Application  Programming  Interface）を利用したその他の測位が挙げられる。
【０００５】
ここで、情報収集を行うエリアには情報収集の重要度が高いエリアと低いエリアがある。例えば、過去の情報収集のサンプル数が少ない（従って、より多くの収集情報を必要とする）エリアは、重要度が高いエリアである。また、エリア内の測定情報（収集情報）において品質が低いエリアは、重要度が高いエリアである。品質が低いエリアとは具体的に、スループット値が低いエリア、無線電波品質（電波強度）が悪いエリア、過去の測定（情報収集）においてスループット測定に失敗した等の測定失敗率が高いエリアなどが挙げられる。また、ユーザからの申告や苦情が多いエリア、移動体通信網の管理者の方針で強化しているエリア、人口が多いエリアは、重要度が高いエリアである。
【０００６】
従来の分析システムは、情報収集を行うエリアの重要度を考慮せずに特定の位置測位方法を用いて情報収集を行うことで、携帯端末は効率的な位置測位を行うことができないという問題がある。
【０００７】
そこで、本発明は、かかる課題に鑑みて為されたものであり、情報収集を行うエリアの重要度を考慮した、より効率的な情報収集を行うことができるサーバ、情報収集システム及び情報収集方法を提供することを目的とする。
【課題を解決するための手段】
【０００８】
上記課題を解決するため、本発明のサーバは、通信エリアを示す通信エリア情報と、当該通信エリアにおける携帯端末による情報収集の重要度を示す重要度情報とを関連付けた管理情報を記憶する管理情報記憶手段と、携帯端末が在圏している通信エリアを示す在圏情報を受信する在圏情報受信手段と、在圏情報受信手段によって受信された在圏情報と、管理情報記憶手段によって記憶された管理情報とに基づいて、携帯端末が在圏している通信エリアにおける重要度情報を取得する重要度情報取得手段と、重要度情報取得手段によって取得された重要度情報に基づいて所定の複数の位置測位方法の優先順位を決定する優先順位決定手段と、優先順位決定手段によって決定された位置測位方法の優先順位に基づく位置測位及び情報収集の実行を指示する指示情報を携帯端末に送信する指示情報送信手段と、を備え、指示情報送信手段によって送信された指示情報を受信した携帯端末は、当該指示情報に示される位置測位方法の優先順位に基づく位置測位及び情報収集を実行する。
【０００９】
このようなサーバによれば、まず、重要度情報取得手段により、携帯端末が在圏している通信エリアを示す在圏情報と記憶された管理情報とに基づいて、携帯端末が在圏している通信エリアにおける重要度情報が取得される。そして、優先順位決定手段により、取得された重要度情報に基づいて所定の複数の位置測位方法の優先順位が決定され、指示情報送信手段により、決定された位置測位方法の優先順位に基づく位置測位及び情報収集の実行を指示する指示情報が携帯端末に送信される。かかる構成を採れば、携帯端末が在圏している通信エリアにおける情報収集の重要度に基づいて、所定の複数の位置測位方法における優先順位が決定され、携帯端末が当該位置測位方法の優先順位に基づく位置測位及び情報収集を実行するため、情報収集を行うエリアの重要度を考慮した、より効率的な位置測位及び情報収集を行うことができる。
【００１０】
また、本発明のサーバにおいて、管理情報記憶手段は、当該通信エリア情報が示す通信エリアにおける各位置測位方法による位置測位の精度を示す精度情報をさらに関連付けて記憶し、優先順位決定手段は、重要度情報取得手段によって取得された重要度情報が示す重要度が所定の重要度よりも高い場合、在圏情報受信手段によって受信された在圏情報と管理情報記憶手段によって記憶された管理情報とに基づいて、携帯端末が在圏している通信エリアにおける位置測位の精度が高い順に位置測位方法の優先順位を決定することが好ましい。携帯端末が在圏している通信エリアにおける情報収集の重要度が高ければ、情報収集において高い精度の位置測位が求められる。かかる構成を採れば、重要度が高い場合に、位置測位の精度が高い順に位置測位方法の優先順位が決定されるため、情報収集を行うエリアの重要度を考慮した、より効率的な位置測位及び情報収集を行うことができる。
【００１１】
また、本発明のサーバにおいて、管理情報記憶手段は、当該通信エリア情報が示す通信エリアにおける各位置測位方法による位置測位の成功率を示す成功率情報をさらに関連付けて記憶し、優先順位決定手段は、重要度情報取得手段によって取得された重要度情報が示す重要度が所定の重要度よりも低い場合、在圏情報受信手段によって受信された在圏情報と管理情報記憶手段によって記憶された管理情報とに基づいて、携帯端末が在圏している通信エリアにおける位置測位の成功率が高い順に位置測位方法の優先順位を決定することが好ましい。かかる構成を採れば、携帯端末が在圏している通信エリアにおける情報収集の重要度が低い場合に、位置測位の成功率が高い順に位置測位方法の優先順位が決定されるため、携帯端末による位置測位の失敗の確率が低くなり、携帯端末における位置測位に伴う電池の消耗等の負荷を軽減することができる。
【００１２】
また、上記課題を解決するため、本発明の情報収集システムは、サーバと携帯端末とを含む情報収集システムであって、サーバは、通信エリアを示す通信エリア情報と、当該通信エリアにおける携帯端末による情報収集の重要度を示す重要度情報とを関連付けた管理情報を記憶する管理情報記憶手段と、携帯端末が在圏している通信エリアを示す在圏情報を受信する在圏情報受信手段と、在圏情報受信手段によって受信された在圏情報と、管理情報記憶手段によって記憶された管理情報とに基づいて、携帯端末が在圏している通信エリアにおける重要度情報を取得する重要度情報取得手段と、重要度情報取得手段によって取得された重要度情報に基づいて所定の複数の位置測位方法の優先順位を決定する優先順位決定手段と、優先順位決定手段によって決定された位置測位方法の優先順位に基づく位置測位及び情報収集の実行を指示する指示情報を携帯端末に送信する指示情報送信手段と、を備え、携帯端末は、在圏情報をサーバに送信する在圏情報送信手段と、指示情報をサーバから受信する指示情報受信手段と、指示情報受信手段によって受信された指示情報に示される位置測位方法の優先順位に基づく位置測位及び情報収集を実行する情報収集実行手段と、を備える。
【００１３】
このような情報収集システムによれば、サーバの重要度情報取得手段により、携帯端末が在圏している通信エリアを示す在圏情報と記憶された管理情報とに基づいて、携帯端末が在圏している通信エリアにおける重要度情報が取得される。そして、サーバの優先順位決定手段により、取得された重要度情報に基づいて所定の複数の位置測位方法の優先順位が決定され、サーバの指示情報送信手段により、決定された位置測位方法の優先順位に基づく位置測位及び情報収集の実行を指示する指示情報が携帯端末に送信される。そして、携帯端末の情報収集実行手段により、指示情報に示される位置測位方法の優先順位に基づく位置測位及び情報収集が実行される。かかる構成を採れば、携帯端末が在圏している通信エリアにおける情報収集の重要度に基づいて、所定の複数の位置測位方法における優先順位が決定され、携帯端末が当該位置測位方法の優先順位に基づく位置測位及び情報収集を実行するため、情報収集を行うエリアの重要度を考慮した、より効率的な位置測位及び情報収集を行うことができる。
【００１４】
ところで、本発明は、上記のように携帯端末及び情報収集システムの発明として記述できる他に、以下のように情報収集方法の発明としても記述することができる。これはカテゴリが異なるだけで、実質的に同一の発明であり、同様の作用及び効果を奏する。
【００１５】
即ち、本発明に係る情報収集方法は、通信エリアを示す通信エリア情報と、当該通信エリアにおける携帯端末による情報収集の重要度を示す重要度情報とを関連付けた管理情報を記憶する管理情報記憶手段を備えるサーバにより実行される情報収集方法であって、携帯端末が在圏している通信エリアを示す在圏情報を受信する在圏情報受信ステップと、在圏情報受信ステップにおいて受信された在圏情報と、管理情報記憶手段によって記憶された管理情報とに基づいて、携帯端末が在圏している通信エリアにおける重要度情報を取得する重要度情報取得ステップと、重要度情報取得ステップにおいて取得された重要度情報に基づいて所定の複数の位置測位方法の優先順位を決定する優先順位決定ステップと、優先順位決定ステップにおいて決定された位置測位方法の優先順位に基づく位置測位及び情報収集の実行を指示する指示情報を携帯端末に送信する指示情報送信ステップと、を含み、指示情報送信ステップにおいて送信された指示情報を受信した携帯端末は、当該指示情報に示される位置測位方法の優先順位に基づく位置測位及び情報収集を実行する。
【００１６】
また、本発明に係る情報収集方法は、通信エリアを示す通信エリア情報と、当該通信エリアにおける携帯端末による情報収集の重要度を示す重要度情報とを関連付けた管理情報を記憶する管理情報記憶手段を備えるサーバと携帯端末とを含む情報収集システムにより実行される情報収集方法であって、携帯端末が、自端末が在圏している通信エリアを示す在圏情報をサーバに送信する在圏情報送信ステップと、サーバが、在圏情報を受信する在圏情報受信ステップと、サーバが、在圏情報受信ステップにおいて受信された在圏情報と、管理情報記憶手段によって記憶された管理情報とに基づいて、携帯端末が在圏している通信エリアにおける重要度情報を取得する重要度情報取得ステップと、サーバが、重要度情報取得ステップにおいて取得された重要度情報に基づいて所定の複数の位置測位方法の優先順位を決定する優先順位決定ステップと、サーバが、優先順位決定ステップにおいて決定された位置測位方法の優先順位に基づく位置測位及び情報収集の実行を指示する指示情報を携帯端末に送信する指示情報送信ステップと、携帯端末が、指示情報をサーバから受信する指示情報受信ステップと、携帯端末が、指示情報受信ステップにおいて受信された指示情報に示される位置測位方法の優先順位に基づく位置測位及び情報収集を実行する情報収集実行ステップと、を含む。
【発明の効果】
【００１７】
本発明によれば、情報収集を行うエリアの重要度を考慮した、より効率的な情報収集を行うことができる。
【図面の簡単な説明】
【００１８】
【図１】本発明の実施形態に係る情報収集システムのシステム構成図である。
【図２】本発明の実施形態に係る携帯端末のハードウェア構成を示す図である。
【図３】本発明の実施形態に係るサーバのハードウェア構成を示す図である。
【図４】本発明の実施形態に係る情報収集システムの機能ブロック図である。
【図５】基地局のセル構成例を示す図である。
【図６】管理情報のテーブル例を示す図である。
【図７】本発明の実施形態に係る情報収集システムで実行される処理（情報収集方法）を示すシーケンス図である。
【図８】本発明の実施形態に係る携帯端末で実行される位置測位に関する処理を示すフローチャートである。
【発明を実施するための形態】
【００１９】
以下、図面とともに本発明によるサーバ、情報収集システム及び情報収集方法の好適な実施形態について詳細に説明する。なお、図面の説明においては同一要素には同一符号を付し、重複する説明を省略する。
【００２０】
図１は、本発明の実施形態に係る情報収集システム３のシステム構成図である。図１に示す通り、情報収集システム３は、一つ以上の携帯端末１と、サーバ２とを含んで構成される。携帯端末１とサーバ２とは移動体通信網を介して互いに無線接続されている。情報収集システム３は、一つ以上の携帯端末１（測定端末）を用いて、定期的に測定を行っている大規模測定システムである。
【００２１】
携帯端末１は、スマートフォン等である。携帯端末１は、定期的に、現在位置に基づく情報を収集（測定）してサーバ２に送信する。具体的に、携帯端末１は、ＲＳＳＩ（Received  Signal  Strength  Indicator）、ＲＳＲＰ（Reference  Signal  Received  Power）及びＲＳＲＱ（Reference  Signal  Received  Quality）等の電波品質情報を収集する。また、携帯端末１は、移動体通信のスループット測定を収集する。スループット測定は、測定用サーバから所定のファイル容量（例えば５ＭＢ）のファイルをダウンロードする時間から算出してもよいし、一定時間毎の通信量を取得し、算出してもよい。また、携帯端末１は、ＬＴＥ（Long  Term  Evolution）及びＨＳＤＰＡ（High  Speed  Downlink  Packet  Access）等の接続しているネットワーク情報を収集してもよい。
【００２２】
携帯端末１は、ＣＰＵ等のハードウェアから構成されているものである。図２は、携帯端末１のハードウェア構成の一例を示す図である。図１に示される携帯端末１は、物理的には、図２に示すように、ＣＰＵ１００、主記憶装置であるＲＡＭ１０１及びＲＯＭ１０２、ディスプレイ等の入出力装置１０３、通信モジュール１０４、補助記憶装置１０５、ＧＰＳ（Global  Positioning  System）１０６などを含むコンピュータシステムとして構成されている。
【００２３】
サーバ２は、一般的なサーバ装置等である。サーバ２は、複数の携帯端末１から当該位置に基づく収集情報を定期的に受信し、エリアごとの収集情報を管理及び活用する。以降で説明するサーバ２は、情報収集の重要性が高いエリアでは測位の精度の高い位置測位方法を優先し、情報収集の重要性が低いエリアでは測位成功率の高い位置測位方法を優先することで、必要な位置測位及び情報収集を行いつつ、携帯端末の負担を軽減することを目的とする。
【００２４】
サーバ２は、ＣＰＵ等のハードウェアから構成されているものである。図３は、サーバ２のハードウェア構成の一例を示す図である。図１に示されるサーバ２は、物理的には、図３に示すように、ＣＰＵ２００、主記憶装置であるＲＡＭ２０１及びＲＯＭ２０２、ディスプレイ等の入出力装置２０３、通信モジュール２０４、及び補助記憶装置２０５などを含むコンピュータシステムとして構成されている。
【００２５】
図４は、本発明の実施形態に係る携帯端末１及びサーバ２を含む情報収集システム３の機能ブロック図である。図４に示すとおり、携帯端末１は、在圏情報送信部１０（在圏情報送信手段）、指示情報受信部１１（指示情報受信手段）及び情報収集実行部１２（情報収集実行手段）を含んで構成される。また、サーバ２は、管理情報記憶部２０（管理情報記憶手段）、在圏情報受信部２１（在圏情報受信手段）、重要度情報取得部２２（重要度情報取得手段）、優先順位決定部２３（優先順位決定手段）及び指示情報送信部２４（指示情報送信手段）を含んで構成される。
【００２６】
図４に示す携帯端末１の各機能ブロックの機能は、図２に示すＣＰＵ１００、ＲＡＭ１０１等のハードウェア上に所定のコンピュータソフトウェアを読み込ませることにより、ＣＰＵ１００の制御のもとで入出力装置１０３、通信モジュール１０４、及び補助記憶装置１０５を動作させるとともに、ＲＡＭ１０１におけるデータの読み出し及び書き込みを行うことで実現される。
【００２７】
また、図４に示すサーバ２の各機能ブロックの機能は、図３に示すＣＰＵ２００、ＲＡＭ２０１等のハードウェア上に所定のコンピュータソフトウェアを読み込ませることにより、ＣＰＵ２００の制御のもとで入出力装置２０３、通信モジュール２０４、及び補助記憶装置２０５を動作させるとともに、ＲＡＭ２０１におけるデータの読み出し及び書き込みを行うことで実現される。
【００２８】
以下、図４に示す携帯端末１の各機能ブロックについて説明する。
【００２９】
在圏情報送信部１０は、携帯端末１が在圏している通信エリアを示す在圏情報をサーバ２に送信する。通信エリアの具体例としては、移動体通信におけるセルやセクタ等が挙げられる。また、在圏情報の具体例としては、在圏している通信エリアを構成する基地局の識別情報（ＩＤ）やＬＡＣ（Location  Area  Code）やＣＩＤ（Cell  ID、セルＩＤ）等が挙げられる。ここで、ＬＡＣの具体値例として“２４８３３”、ＣＩＤの具体値例として“１１８７７６３２４”が挙げられる。本実施形態では、在圏情報としてセルＩＤを扱う。
【００３０】
図５は、基地局のセル構成例を示す図である。図５において、基地局ＢＳが、通信エリアとして扇状の６つのセルＣを構成している。各セルＣにはセルＩＤ（ＣＩＤ）が割り当てられている。そして、図５において、携帯端末１ＡはセルＩＤが“１２”のセルに在圏し、携帯端末１ＢはセルＩＤが“１３”のセルに在圏している。つまり、図５の状態において、携帯端末１Ａの在圏情報送信部１０は、在圏情報としてセルＩＤ“１２”をサーバ２に送信し、携帯端末１Ｂの在圏情報送信部１０は、在圏情報としてセルＩＤ“１３”をサーバ２に送信する。
【００３１】
指示情報受信部１１は、優先順位付けられた位置測位方法に基づく情報収集の実行を指示する指示情報をサーバ２から受信する。指示情報の内容については後述する。指示情報受信部１１は、受信した指示情報を情報収集実行部１２に出力する。
【００３２】
情報収集実行部１２は、指示情報受信部１１によって受信された（指示情報受信部１１により入力された）指示情報に示される位置測位方法の優先順位に基づく位置測位及び情報収集を実行する。具体的に、情報収集実行部１２は、優先順位の順に位置測位方法を実行し、１回でも位置測位が成功したら、続けて情報収集を実行する。情報収集の具体例としては、上述の通り、電波品質情報の収集、移動体通信のスループット測定の収集、接続しているネットワーク情報の収集等が挙げられる。情報収集を実行した後、収集情報は集計を行っているサーバ装置に送信される。
【００３３】
続いて、図４に示すサーバ２の各機能ブロックについて説明する。
【００３４】
管理情報記憶部２０は、通信エリアを示す通信エリア情報と、当該通信エリアにおける携帯端末１による位置測位を伴う情報収集の重要度を示す重要度情報とを関連付けた管理情報をデータベース等に記憶する。また、管理情報記憶部２０は、管理情報に含まれる各通信エリア情報に対して、当該通信エリア情報が示す通信エリアにおける各所定の複数の位置測位方法による位置測位の精度を示す精度情報をさらに関連付けて記憶してもよい。また、管理情報記憶部２０は、管理情報に含まれる各通信エリア情報に対して、当該通信エリア情報が示す通信エリアにおける各所定の複数の位置測位方法による位置測位の成功率を示す成功率情報をさらに関連付けて記憶してもよい。
【００３５】
図６は、管理情報記憶部２０によって記憶された管理情報のテーブル例を示す図である。図６に示すテーブル例では、通信エリア情報（セルＩＤ）、３つの位置測位方法（ＧＰＳ測位、ネットワーク測位及びその他測位）それぞれの精度情報及び成功率情報、並びに重要度情報が関連付けられている。例えば、セルＩＤが“１１”の通信エリアにおいて、携帯端末１のＧＰＳ測位の精度は“１００ｍ”で成功率は“２０％”、携帯端末１のネットワーク測位の精度は“５００ｍ”で成功率は“８０％”、携帯端末１のその他測位の精度は“２５０ｍ”で成功率は“７０％”、重要度の値は“１０”である。
【００３６】
精度は、位置測位の精度を示しており、値が小さいほど高精度である。成功率は、位置測位が成功する確率を示しており、値が大きいほど、位置測位が成功する可能性が高い。重要度の値は、当該通信エリアにおける情報収集の重要度を示しており、値が小さいほど重要度が高いことを示している。なお、重要度は、値が小さいほど重要度が低いことを示してもよい。本実施形態においては、重要度の値が小さいほど重要度が高いことを示しているものとする。重要度の値の算出としては、通信エリアの無線品質を測定するシステムの場合、スループット値や、一定期間内のサンプル数を基に算出することができる。例えば、重要度の値は以下の式に基づいて算出してもよい。
重要度の値＝スループット値×サンプル数
上記の式の場合、低スループットエリア、又は、サンプル数の少ないエリアの重要度が高くなる。
【００３７】
在圏情報受信部２１は、在圏情報を携帯端末１から受信（取得）し、受信した在圏情報を重要度情報取得部２２及び優先順位決定部２３に出力する。在圏情報受信部２１は、在圏情報を携帯端末１以外の装置から受信してもよい。
【００３８】
重要度情報取得部２２は、在圏情報受信部２１によって受信された（在圏情報受信部２１により入力された）在圏情報と、管理情報記憶部２０によって記憶された管理情報とに基づいて、携帯端末１が在圏している通信エリアにおける重要度情報を取得する。重要度情報取得部２２は、取得した重要度情報を優先順位決定部２３に出力する。
【００３９】
具体例を挙げて説明すると、在圏情報受信部２１によってセルＩＤ“１１”が受信され、管理情報記憶部２０によって図６に示す管理情報が記憶されている場合、重要度情報取得部２２は、図６に示す管理情報のうち、セルＩＤが“１１”の重要度の値である“１０”を取得する。
【００４０】
優先順位決定部２３は、重要度情報取得部２２によって取得された（重要度情報取得部２２により入力された）重要度情報に基づいて所定の複数の位置測位方法の優先順位を決定する。また、優先順位決定部２３は、重要度情報取得部２２によって取得された重要度情報が示す重要度が所定の重要度よりも高い場合（重要度情報取得部２２によって取得された重要度情報が示す重要度の値が所定の重要度の値よりも小さい場合）、在圏情報受信部２１によって受信された在圏情報と管理情報記憶部２０によって記憶された管理情報とに基づいて、携帯端末１が在圏している通信エリアにおける位置測位の精度が高い順に位置測位方法の優先順位を決定してもよい。また、優先順位決定部２３は、重要度情報取得部２２によって取得された重要度情報が示す重要度が所定の重要度よりも低い場合（重要度情報取得部２２によって取得された重要度情報が示す重要度の値が所定の重要度の値よりも大きい場合）、在圏情報受信部２１によって受信された在圏情報と管理情報記憶部２０によって記憶された管理情報とに基づいて、携帯端末１が在圏している通信エリアにおける位置測位の成功率が高い順に位置測位方法の優先順位を決定してもよい。優先順位決定部２３は、決定した優先順位を指示情報送信部２４に出力する。
【００４１】
具体例を挙げて説明する前に、まず前提として、所定の複数の位置測位方法は、ＧＰＳ測位、ネットワーク測位及びその他測位の３つの位置測位方法とする。また、管理情報記憶部２０によって記憶された管理情報は図６に示すものとする。また、所定の重要度の値を“５”とする。
【００４２】
例えば、在圏情報受信部２１によってセルＩＤ“１１”が受信された場合、上述の通り、重要度情報取得部２２によって重要度の値“１０”が取得される。優先順位決定部２３は、取得された重要度の値“１０”が所定の重要度の値“５”よりも大きいため、すなわち取得された重要度情報が示す重要度が所定の重要度よりも低いため（上述の通り、重要度は値が大きいほど重要度が低いことを示している）、セルＩＤ“１１”における位置測位の成功率が高い順に位置測位方法の優先順位を決定する。すなわち、成功率が“８０％”のネットワーク測位、成功率が“７０％”のその他測位、成功率が“２０％”のＧＰＳ測位の順に優先順位が決定される。
【００４３】
一方、例えば、在圏情報受信部２１によってセルＩＤ“１２”が受信された場合、重要度情報取得部２２によって重要度の値“１”が取得される。優先順位決定部２３は、取得された重要度の値“１”が所定の重要度の値“５”よりも小さいため、すなわち取得された重要度情報が示す重要度が所定の重要度よりも高いため（上述の通り、重要度は値が小さいほど重要度が高いことを示している）、セルＩＤ“１２”における位置測位の精度が高い順に位置測位方法の優先順位を決定する。すなわち、精度が“２０ｍ”のＧＰＳ測位、精度が“５００ｍ”のその他測位、精度が“１０００ｍ”のネットワーク測位の順に優先順位が決定される。
【００４４】
なお、上記で説明した例では、重要度の値をある閾値で２分化し、精度重視、成功率重視で測位優先度を決定したが、精度、成功率、重要度の値を用いて計算することにより測位優先度を決定してもよい。
【００４５】
別の例として、重要度の値をある２つの閾値で３分化した例を以下に示す。例えば、優先順位決定部２３は、重要度の値がＴａ以下の場合、精度が高い順に位置測位を選択し、重要度の値がＴｂ以上の場合、位置測位を行わず、重要度の値がそれ以外の場合、成功率が高い順に位置測位を選択する。これにより、優先順位決定部２３は、測定の重要度が高い通信エリアでは精度重視で位置測位を選択し、重要度の低い通信エリアでは成功率重視で位置測位を選択し、重要度が大きく低い場合は、位置測位（又は、情報収集自体）を実施しないようにすることができる。
【００４６】
より具体的な例を用いて説明すると、まず前提として、Ｔａ＝５、Ｔｂ＝９であり、管理情報記憶部２０によって記憶された管理情報は図６に示すものであるとする。
【００４７】
例えば、在圏情報受信部２１によってセルＩＤ“１１”が受信された場合、重要度情報取得部２２によって重要度の値“１０”が取得される。優先順位決定部２３は、取得された重要度の値“１０”がＴｂ以上であるため、位置測位を行わず、情報収集も行わないと決定する。
【００４８】
一方、例えば、在圏情報受信部２１によってセルＩＤ“１２”が受信された場合、重要度情報取得部２２によって重要度の値“１”が取得される。優先順位決定部２３は、取得された重要度の値“１”がＴａ以下であるため、セルＩＤ“１２”における位置測位の精度が高い順に位置測位を選択する。すなわち、精度が“２０ｍ”のＧＰＳ測位、精度が“５００ｍ”のその他測位、精度が“１０００ｍ”のネットワーク測位の順に優先順位が決定される。
【００４９】
一方、例えば、在圏情報受信部２１によってセルＩＤ“１３”が受信された場合、重要度情報取得部２２によって重要度の値“８”が取得される。優先順位決定部２３は、取得された重要度の値“８”がＴａ以上、Ｔｂ未満であるため、セルＩＤ“１３”における位置測位の成功率が高い順に位置測位方法の優先順位を決定する。すなわち、成功率が“９０％”のネットワーク測位、成功率が“８０％”のＧＰＳ測位、成功率が“７０％”のその他測位の順に優先順位が決定される。
【００５０】
指示情報送信部２４は、優先順位決定部２３によって決定された位置測位方法の優先順位に基づく位置測位及び情報収集の実行を指示する指示情報を携帯端末１に送信する。指示情報には、例えば、位置測位方法の名称の優先順位順のリスト、位置測位の実行指示及び情報収集の実行指示が含まれる。
【００５１】
続いて、図７に示すシーケンス図を用いて、本実施形態に係る情報収集システム３における情報収集方法の処理について説明する。
【００５２】
まず、携帯端末１により在圏情報が取得される（Ｓ１）。次に、携帯端末１の在圏情報送信部１０により、在圏情報がサーバ２に送信される（Ｓ２、在圏情報送信ステップ）。次に、サーバ２の在圏情報受信部２１により、在圏情報が受信される（Ｓ３、在圏情報受信ステップ）。次に、サーバ２の重要度情報取得部２２により、重要度情報が取得される（Ｓ４、重要度情報取得ステップ）。次に、サーバ２の優先順位決定部２３により、優先順位が決定される（Ｓ５、優先順位決定ステップ）。次に、サーバ２の指示情報送信部２４により、指示情報が携帯端末１に送信される（Ｓ６、指示情報送信ステップ）。
【００５３】
次に、携帯端末１の指示情報受信部１１により、指示情報が受信される（Ｓ７、指示情報受信ステップ）。次に、携帯端末１の情報収集実行部１２により、指示情報に基づいた処理が実行される（Ｓ８、情報収集実行ステップ）。
【００５４】
続いて、図８に示すフローチャートを用いて、Ｓ８の処理の詳細について説明する。
【００５５】
Ｓ８にて、まず、指示情報に含まれている一番優先順位が高い優先度１の位置測位方法を実行する（Ｓ１０）。次に、Ｓ１０の位置測位が成功したか否かを判定する（Ｓ１１）。Ｓ１１にて失敗したと判定された場合、続いて、次に優先順位が高い優先度２の位置測位方法を実行する（Ｓ１２）。次に、Ｓ１２の位置測位が成功したか否かを判定する（Ｓ１３）。Ｓ１０〜Ｓ１３のような処理を、位置測位が成功するまで実行する。位置測位が成功した場合（Ｓ１１：ＹＥＳ、Ｓ１３：ＹＥＳ等）、情報収集を実行し（Ｓ３０）、成功した位置測位によって取得された位置情報と収集情報とをサーバ２に送信する。
【００５６】
次に、本実施形態のように構成された携帯端末１、サーバ２及び情報収集システム３の作用効果について説明する。
【００５７】
本実施形態のサーバ２によれば、まず、重要度情報取得部２２により、携帯端末１が在圏している通信エリアを示す在圏情報と記憶された管理情報とに基づいて、携帯端末１が在圏している通信エリアにおける重要度情報が取得される。そして、優先順位決定部２３により、取得された重要度情報に基づいて所定の複数の位置測位方法の優先順位が決定され、指示情報送信部２４により、決定された位置測位方法の優先順位に基づく位置測位及び情報収集の実行を指示する指示情報が携帯端末１に送信される。かかる構成を採れば、携帯端末１が在圏している通信エリアにおける情報収集の重要度に基づいて、所定の複数の位置測位方法における優先順位が決定され、携帯端末１が当該位置測位方法の優先順位に基づく位置測位及び情報収集を実行するため、情報収集を行うエリアの重要度を考慮した、より効率的な位置測位及び情報収集を行うことができる。
【００５８】
また、本実施形態のサーバ２において、優先順位決定部２３は、重要度情報取得部２２によって取得された重要度情報が示す重要度が所定の重要度よりも高い場合、在圏情報受信部２１によって受信された在圏情報と管理情報記憶部２０によって記憶された管理情報とに基づいて、携帯端末１が在圏している通信エリアにおける位置測位の精度が高い順に位置測位方法の優先順位を決定する。かかる構成を採れば、重要度が高い場合に、位置測位の精度が高い順に位置測位方法の優先順位が決定されるため、情報収集を行うエリアの重要度を考慮した、より効率的な位置測位及び情報収集を行うことができる。
【００５９】
また、本実施形態のサーバ２において、優先順位決定部２３は、重要度情報取得部２２によって取得された重要度情報が示す重要度が所定の重要度よりも低い場合、在圏情報受信部２１によって受信された在圏情報と管理情報記憶部２０によって記憶された管理情報とに基づいて、携帯端末１が在圏している通信エリアにおける位置測位の成功率が高い順に位置測位方法の優先順位を決定する。かかる構成を採れば、携帯端末１が在圏している通信エリアにおける情報収集の重要度が低い場合に、位置測位の成功率が高い順に位置測位方法の優先順位が決定されるため、携帯端末１による位置測位の失敗の確率が低くなり、携帯端末１における位置測位に伴う電池の消耗等の負荷を軽減することができる。
【００６０】
また、本実施形態の情報収集システム３において、サーバ２の重要度情報取得部２２により、携帯端末１が在圏している通信エリアを示す在圏情報と記憶された管理情報とに基づいて、携帯端末１が在圏している通信エリアにおける重要度情報が取得される。そして、サーバ２の優先順位決定部２３により、取得された重要度情報に基づいて所定の複数の位置測位方法の優先順位が決定され、サーバの指示情報送信部２４により、決定された位置測位方法の優先順位に基づく位置測位及び情報収集の実行を指示する指示情報が携帯端末１に送信される。そして、携帯端末１の情報収集実行部１２により、指示情報に示される位置測位方法の優先順位に基づく位置測位及び情報収集が実行される。かかる構成を採れば、携帯端末１が在圏している通信エリアにおける情報収集の重要度に基づいて、所定の複数の位置測位方法における優先順位が決定され、携帯端末１が当該位置測位方法の優先順位に基づく位置測位及び情報収集を実行するため、情報収集を行うエリアの重要度を考慮した、より効率的な位置測位及び情報収集を行うことができる。
【符号の説明】
【００６１】
１…携帯端末、２…サーバ、３…情報収集システム、１０…在圏情報送信部、１１…指示情報受信部、１２…情報収集実行部、２０…管理情報記憶部、２１…在圏情報受信部、２２…重要度情報取得部、２３…優先順位決定部、２４…指示情報送信部。
【図１】
2015097328.tif 000003
【図２】
2015097328.tif 000004
【図３】
2015097328.tif 000005
【図４】
2015097328.tif 000006
【図５】
2015097328.tif 000007
【図６】
2015097328.tif 000008
【図７】
2015097328.tif 000009
【図８】
2015097328.tif 000010